(57)【要約】【課題】紙資源を有効に利用するための印刷用紙の選択を容易に行うことができる印刷装置の制御方法、プログラム及び記録媒体を提供する。【解決手段】パソコン５０は、プリンタドライバ５１に従って、印刷要求の入力を受け入れる。そして、片面印刷で省資源モードが選択されている場合、パソコン５０は、片面印刷済の印刷用紙を収容した第３給紙カセットの指定を設定し、その印刷用紙のサイズに合わせて画像を拡大縮小する。そして、パソコン５０は、画像データを画像変換処理して印刷データを生成し、そのヘッダに第３給紙カセットの指定及び片面印刷の指定を付加してプリンタ１０に送信する。プリンタ１０のＣＰＵ３１は、印刷データに設定された第３給紙カセットに対応する給紙駆動モータ４３に対して駆動制御信号を出力し、第３給紙ローラを駆動して第３給紙カセットから片面印刷済の印刷用紙を印刷装置３５に給紙する。【選択図】　　　図３
2004050677.tif 000002
【特許請求の範囲】
【請求項１】
省資源印刷用の印刷用紙を収容する省資源印刷用紙収容手段と、通常印刷用の印刷用紙を収容する１以上の通常用紙収容手段とを備えた印刷装置の制御方法であって、
前記印刷装置が省資源印刷用紙収容手段に収容された印刷用紙に印刷する省資源モード及び通常印刷用紙収容手段に収容された通常印刷用紙に印刷する通常モードを有し、
前記印刷装置を制御する印刷装置制御手段が、
該両モードのいずれかを選択する情報を受信して記憶する段階と、
前記通常用紙収容手段が複数ある場合で前記通常モードが選択されている場合に、該複数の通常用紙収容手段のいずれかを選択する情報を受信して記憶する段階と、
前記省資源モードが選択された場合は、前記通常用紙収容手段が選択されているか否かに関わらず、前記省資源印刷用紙収容手段を選択する段階と
を備えたことを特徴とする印刷装置の制御方法。
【請求項２】
請求項１に記載の印刷装置の制御方法において、
前記印刷装置制御手段が、
前記省資源モードを選択する情報を受信した場合、前記省資源印刷用の印刷用紙のサイズにあわせて印刷対象の画像を拡大又は縮小する段階
をさらに備えたことを特徴とする印刷装置の制御方法。
【請求項３】
請求項１又は２に記載の印刷装置の制御方法において、
前記省資源モード又は前記通常モードを選択する情報は、印刷対象のファイルが有しているとともに、前記省資源モード又は前記通常モードを選択する情報を受信して記憶する段階は、前記ファイルが有する前記省資源モード又は前記通常モードを選択する情報を受信して記憶することを特徴とする印刷装置の制御方法。
【請求項４】
請求項３に記載の印刷装置の制御方法において、
前記ファイルが有する前記省資源モード又は前記通常モードを選択する情報は、前記ファイルを生成する際に設定されることを特徴とする印刷装置の制御方法。
【請求項５】
請求項１〜４のいずれか１つに記載の印刷装置の制御方法において、
前記印刷装置制御手段が、
前記省資源モードを選択する情報を受信した場合、その旨の警告を出力する段階をさらに備えたことを特徴とする印刷装置の制御方法。
【請求項６】
請求項１〜５のいずれか１つに記載の印刷装置の制御方法において、
前記印刷装置制御手段が、
前記受信した前記省資源モード又は前記通常モードの選択を変更するための情報を受信して記憶する段階をさらに備えたことを特徴とする印刷装置の制御方法。
【請求項７】
請求項１〜６のいずれか１つに記載の印刷装置の制御方法において、
前記印刷装置制御手段が、
両面印刷又は片面印刷のいずれかを選択する情報を受信して記憶する段階と、
前記両面印刷を選択する情報を受信した場合、前記省資源モードを選択する情報を受信した場合でも、前記選択された前記通常用紙収容手段を選択する段階とをさらに備えたことを特徴とする印刷装置の制御方法。
【請求項８】
請求項１〜７のいずれか１つに記載の印刷装置の制御方法において、
前記省資源印刷用の印刷用紙は片面印刷済の印刷用紙であるとともに、前記通常印刷用の印刷用紙は新品の印刷用紙であることを特徴とする印刷装置の制御方法。
【請求項９】
省資源印刷用の印刷用紙を収容する省資源印刷用紙収容手段と、通常印刷用の印刷用紙を収容する１以上の通常用紙収容手段とを備え、前記省資源印刷用紙収容手段に収容された印刷用紙に印刷する省資源モード及び通常印刷用紙収容手段に収容された通常印刷用紙に印刷する通常モードを有する印刷装置を制御するためのプログラムであって、
前記印刷装置を制御する印刷装置制御手段を、
該両モードのいずれかを選択する情報を受信して記憶するモード選択手段、
前記通常用紙収容手段が複数ある場合で前記通常モードが選択されている場合に、該複数の通常用紙収容手段のいずれかを選択する情報を受信して記憶する通常用紙選択手段、及び、
前記省資源モードが選択された場合に前記通常用紙収容手段が選択されているか否かに関わらず、前記省資源印刷用紙収容手段を選択する省資源印刷用紙選択手段
として機能させるためのプログラム。
【請求項１０】
請求項９に記載のプログラムにおいて、
前記印刷装置制御手段を、さらに、
前記省資源モードを選択する情報を受信した場合に前記省資源印刷用の印刷用紙のサイズにあわせて印刷対象の画像を拡大又は縮小する拡大縮小手段
として機能させるためのプログラム。
【請求項１１】
請求項９又は１０に記載の印刷装置の制御方法において、
前記モード選択手段を、
印刷対象のファイルが有する前記省資源モード又は前記通常モードを選択する情報を受信して記憶する手段として機能させるためのプログラム。
【請求項１２】
請求項９〜１１のいずれか１つに記載のプログラムにおいて、
前記印刷装置制御手段を、さらに、
前記省資源モードを選択する情報を受信した場合に、その旨の警告を出力する警告出力手段として機能させるためのプログラム。
【請求項１３】
請求項９〜１２のいずれか１つに記載のプログラムにおいて、
前記印刷装置制御手段を、さらに、
前記受信した前記省資源モード又は前記通常モードの選択を変更するための情報を受信して記憶するモード変更手段として機能させるためのプログラム。
【請求項１４】
請求項９〜１３のいずれか１つに記載のプログラムにおいて、
前記印刷装置制御手段を、さらに、
両面印刷又は片面印刷のいずれかを選択する情報を受信して記憶する両面片面選択手段、及び、
前記両面印刷を選択する情報を受信した場合に、前記省資源モードを選択する情報を受信した場合でも、前記選択された前記通常用紙収容手段を選択する両面選択手段
として機能させるためのプログラム。
【請求項１５】
請求項９〜１４のいずれか１つに記載のプログラムを記録した記録媒体。
【発明の詳細な説明】
【０００１】
【発明の属する技術分野】
本発明は、印刷装置の制御方法、プログラム及び記録媒体に関する。
【０００２】
【従来の技術】
従来、複数の給紙カセットを有するプリンタを用いて画像の印刷を行う場合、それらの複数の給紙カセットに、それぞれＡ４、Ｂ４等サイズの異なる印刷用紙を収容している。そして、そのプリンタに接続されたパーソナルコンピュータ（以下、パソコンという）から印刷要求を行う場合、パソコンに備えられたプリンタドライバにて給紙カセットを指定して印刷データをプリンタに送信する。一方、プリンタで印刷を行う印刷用紙については、紙資源を有効に利用するため、新品の印刷用紙を使用する必要がない内部資料等を印刷する場合には、片面印刷済の印刷用紙を用いることが一般的に行われている。この場合、プリンタの複数の給紙カセットのうちの１つに片面印刷済の印刷用紙を収容し、片面印刷済の印刷用紙に印刷する場合には、印刷要求の際に、その片面印刷済の印刷用紙が収容された給紙カセットを選択するようにしている。
【０００３】
【発明が解決しようとする課題】
しかし、片面印刷済の印刷用紙に印刷する場合に、その都度、給紙カセットの選択を変更していたのでは、ユーザが、煩雑な操作をしなくてはならず、使用勝手が悪い。これを解消するために、パソコン側で、使用するプリンタとして、複数の給紙カセットを有する同一のプリンタについて給紙カセット毎に設定を行う場合がある。この場合、パソコン側では、給紙カセット毎に別のプリンタであるように認識できるため、ユーザは、印刷する際に、それらのプリンタのうちのいずれか選択することにより、給紙カセットを選択できる。しかし、この場合、１つのプリンタについて、複数のプリンタがあるように設定しなければならないため、初期設定が煩雑である。また、印刷の際に、ユーザがプリンタの指定を間違えて、片面印刷済の印刷用紙に印刷すべきものを新品の印刷用紙に印刷する場合もあり得る。従って、このように操作が煩雑であると、紙資源の有効利用のために片面印刷済の印刷用紙を利用することを有効に行うのが困難である。
【０００４】
本発明は上記問題点を解決するためになされたものであって、その目的は、紙資源を有効に利用するための印刷用紙の選択を容易に行うことができる印刷装置の制御方法、プログラム及び記録媒体を提供することにある。
【０００５】
【課題を解決するための手段】
上記問題点を解決するために、請求項１に記載の発明は、省資源印刷用の印刷用紙を収容する省資源印刷用紙収容手段と、通常印刷用の印刷用紙を収容する１以上の通常用紙収容手段とを備えた印刷装置の制御方法であって、前記印刷装置が省資源印刷用紙収容手段に収容された印刷用紙に印刷する省資源モード及び通常印刷用紙収容手段に収容された通常印刷用紙に印刷する通常モードを有し、前記印刷装置を制御する印刷装置制御手段が、該両モードのいずれかを選択する情報を受信して記憶する段階と、前記通常用紙収容手段が複数ある場合で前記通常モードが選択されている場合に、該複数の通常用紙収容手段のいずれかを選択する情報を受信して記憶する段階と、前記省資源モードが選択された場合は、前記通常用紙収容手段が選択されているか否かに関わらず、前記省資源印刷用紙収容手段を選択する段階とを備えたことを要旨とする。
【０００６】
請求項２に記載の発明は、請求項１に記載の印刷装置の制御方法において、前記印刷装置制御手段が、前記省資源モードを選択する情報を受信した場合、前記省資源印刷用の印刷用紙のサイズにあわせて印刷対象の画像を拡大又は縮小する段階をさらに備えたことを要旨とする。
【０００７】
請求項３に記載の発明は、請求項１又は２に記載の印刷装置の制御方法において、前記省資源モード又は前記通常モードを選択する情報は、印刷対象のファイルが有しているとともに、前記省資源モード又は前記通常モードを選択する情報を受信して記憶する段階は、前記ファイルが有する前記省資源モード又は前記通常モードを選択する情報を受信して記憶することを要旨とする。
【０００８】
請求項４に記載の発明は、請求項３に記載の印刷装置の制御方法において、前記ファイルが有する前記省資源モード又は前記通常モードを選択する情報は、前記ファイルを生成する際に設定されることを要旨とする。
【０００９】
請求項５に記載の発明は、請求項１〜４のいずれか１つに記載の印刷装置の制御方法において、前記印刷装置制御手段が、前記省資源モードを選択する情報を受信した場合、その旨の警告を出力する段階をさらに備えたことを要旨とする。
【００１０】
請求項６に記載の発明は、請求項１〜５のいずれか１つに記載の印刷装置の制御方法において、前記印刷装置制御手段が、前記受信した前記省資源モード又は前記通常モードの選択を変更するための情報を受信して記憶する段階をさらに備えたことを要旨とする。
【００１１】
請求項７に記載の発明は、請求項１〜６のいずれか１つに記載の印刷装置の制御方法において、前記印刷装置制御手段が、両面印刷又は片面印刷のいずれかを選択する情報を受信して記憶する段階と、前記両面印刷を選択する情報を受信した場合、前記省資源モードを選択する情報を受信した場合でも、前記選択された前記通常用紙収容手段を選択する段階とをさらに備えたことを要旨とする。
【００１２】
請求項８に記載の発明は、請求項１〜７のいずれか１つに記載の印刷装置の制御方法において、前記省資源印刷用の印刷用紙は片面印刷済の印刷用紙であるとともに、前記通常印刷用の印刷用紙は新品の印刷用紙であることを要旨とする。
【００１３】
請求項９に記載の発明は、省資源印刷用の印刷用紙を収容する省資源印刷用紙収容手段と、通常印刷用の印刷用紙を収容する１以上の通常用紙収容手段とを備え、前記省資源印刷用紙収容手段に収容された印刷用紙に印刷する省資源モード及び通常印刷用紙収容手段に収容された通常印刷用紙に印刷する通常モードを有する印刷装置を制御するためのプログラムであって、前記印刷装置を制御する印刷装置制御手段を、該両モードのいずれかを選択する情報を受信して記憶するモード選択手段、前記通常用紙収容手段が複数ある場合で前記通常モードが選択されている場合に、該複数の通常用紙収容手段のいずれかを選択する情報を受信して記憶する通常用紙選択手段、及び、前記省資源モードが選択された場合に前記通常用紙収容手段が選択されているか否かに関わらず、前記省資源印刷用紙収容手段を選択する省資源印刷用紙選択手段として機能させることを要旨とする。
【００１４】
請求項１０に記載の発明は、請求項９に記載のプログラムにおいて、前記印刷装置制御手段を、さらに、前記省資源モードを選択する情報を受信した場合に前記省資源印刷用の印刷用紙のサイズにあわせて印刷対象の画像を拡大又は縮小する拡大縮小手段として機能させることを要旨とする。
【００１５】
請求項１１に記載の発明は、請求項９又は１０に記載の印刷装置の制御方法において、前記モード選択手段を、印刷対象のファイルが有する前記省資源モード又は前記通常モードを選択する情報を受信して記憶する手段として機能させることを要旨とする。
【００１６】
請求項１２に記載の発明は、請求項９〜１１のいずれか１つに記載のプログラムにおいて、前記印刷装置制御手段を、さらに、前記省資源モードを選択する情報を受信した場合に、その旨の警告を出力する警告出力手段として機能させることを要旨とする。
【００１７】
請求項１３に記載の発明は、請求項９〜１２のいずれか１つに記載のプログラムにおいて、前記印刷装置制御手段を、さらに、前記受信した前記省資源モード又は前記通常モードの選択を変更するための情報を受信して記憶するモード変更手段として機能させることを要旨とする。
【００１８】
請求項１４に記載の発明は、請求項９〜１３のいずれか１つに記載のプログラムにおいて、前記印刷装置制御手段を、さらに、両面印刷又は片面印刷のいずれかを選択する情報を受信して記憶する両面片面選択手段、及び、前記両面印刷を選択する情報を受信した場合に、前記省資源モードを選択する情報を受信した場合でも、前記選択された前記通常用紙収容手段を選択する両面選択手段として機能させることを要旨とする。
【００１９】
請求項１５に記載の発明は、記録媒体に請求項９〜１４のいずれか１つに記載のプログラムを記録したことを要旨とする。
（作用）
請求項１又は９に記載の発明によれば、前記印刷装置は、省資源印刷用の印刷用紙を収容する省資源印刷用紙収容手段と、通常印刷用の印刷用紙を収容する１以上の通常用紙収容手段とを備えている。そして、前記印刷装置は、省資源印刷用紙収容手段に収容された印刷用紙に印刷する省資源モード及び通常印刷用紙収容手段に収容された通常印刷用紙に印刷する通常モードを有している。そして、前記印刷装置を制御する印刷装置制御手段は、該両モードのいずれかを選択する情報を受信して記憶する。そして、前記印刷装置制御手段は、通常用紙収容手段が複数ある場合で通常モードが選択されている場合に、該複数の通常用紙収容手段のいずれかを選択する情報を受信して記憶する。また、前記印刷装置制御手段は、省資源モードが選択された場合は、通常用紙収容手段が選択されているか否かに関わらず、省資源印刷用紙収容手段を選択する。このため、省資源モードが指定された場合には、通常用紙収容手段の選択にかかわらず、省資源印刷用の印刷用紙に印刷を行うことができる。従って、前記印刷装置が優先的に省資源印刷用の印刷用紙に印刷を行うことが可能となる。
【００２０】
請求項２又は１０に記載の発明によれば、前記印刷装置制御手段は、省資源モードを選択する情報を受信した場合、省資源印刷用の印刷用紙のサイズにあわせて印刷対象の画像を拡大又は縮小する。このため、省資源印刷用の印刷用紙のサイズにあわせて、印刷対象を表示できる。
【００２１】
請求項３又は１１に記載の発明によれば、省資源モード又は通常モードを選択する情報は、印刷対象のファイルが有している。そして、前記印刷装置制御手段は、そのファイルが有する省資源モード又は通常モードを選択する情報を受信して記憶する。このため、ファイル毎に省資源モード又は通常モードを指定することができる。
【００２２】
請求項４に記載の発明によれば、印刷対象のファイルが有する省資源モード又は通常モードを選択する情報は、そのファイルを生成する際に設定される。このため、予めファイル毎に省資源モード又は通常モードを指定することができる。
【００２３】
請求項５又は１２に記載の発明によれば、前記印刷装置制御手段は、省資源モードを選択する情報を受信した場合、その旨の警告を出力する。このため、省資源モードが選択されている場合に、その旨をユーザに通知できる。
【００２４】
請求項６又は１３に記載の発明によれば、前記印刷装置制御手段は、受信した省資源モード又は通常モードの選択を変更して印刷するための情報を受信して記憶する。このため、受信した省資源モード又は通常モードの選択を変更することができる。
【００２５】
請求項７又は１４に記載の発明によれば、前記印刷装置制御手段は、両面印刷又は片面印刷のいずれかを選択する情報を受信して記憶する。そして、前記印刷装置制御手段は、両面印刷を選択する情報を受信した場合、省資源モードを選択する情報を受信した場合でも、選択された通常用紙収容手段を選択する。このため、両面印刷が選択された場合には、省資源モードが選択されている場合でも、通常印刷用の印刷用紙に印刷を行うことができる。
【００２６】
請求項８に記載の発明によれば、省資源印刷用の印刷用紙は片面印刷済の印刷用紙であり、通常印刷用の印刷用紙は新品の印刷用紙である。このため、省資源モードを選択することにより、簡単に片面印刷済の印刷用紙を選択できる。従って、資源の有効活用に資することが可能となる。
【００２７】
請求項１５に記載の発明によれば、記録媒体に記録したプログラムを印刷装置に読み取らせて、前記プログラムを実行することにより、請求項９〜１４と同様の作用が得られる。
【００２８】
【発明の実施の形態】
以下、本発明を具体化した一実施形態を図１〜図４に従って説明する。本実施形態では、複数の給紙カセットを有する印刷装置としてのカラーレーザープリンタについて、印刷用紙の給紙を制御する場合について説明する。
【００２９】
図１に示すように、カラーレーザープリンタ（以下、単にプリンタという）１０は、略直方体の形状をなす。このプリンタ１０は、それぞれ印刷用紙１１ａ〜１１ｃを収容する、通常印刷用紙収容手段としての第１給紙カセット１２ａ及び第２給紙カセット１２ｂと省資源印刷用紙収容手段としての第３給紙カセット１２ｃとを備えている。第１給紙カセット１２ａ、第２給紙カセット１２ｂ及び第３給紙カセット１２ｃは、同一形状を有し、プリンタ１０の前面に上中下３段に凹設された装着部１３ａ，１３ｂ，１３ｃに挿脱可能に構成されている。図２に示すように、給紙カセット１２ａ，１２ｂ，１２ｃ内には、それぞれ用紙ガイド部材１４ａ，１４ｂ，１４ｃが設けられている。これらの用紙ガイド部材１４ａ〜１４ｃは、それぞれＡ４、Ａ３、Ｂ４、Ｂ５等の用紙サイズにセットでき、給紙カセット１２ａ〜１２ｃ内に各用紙サイズの印刷用紙１１ａ〜１１ｃがそれぞれ収容できるようになっている。
【００３０】
また、各給紙カセット１２ａ〜１２ｃについて、第１給紙ローラ１５ａ、第２給紙ローラ１５ｂ、第３給紙ローラ１５ｃが各給紙カセット１２ａ〜１２ｃについてそれぞれ備えられている。つまり、装着部１３ａに装着される第１給紙カセット１２ａ、用紙ガイド部材１４ａ、第１給紙ローラ１５ａ等によって第１給紙装置が構成されている。また、装着部１３ｂに装着される第２給紙カセット１２ｂ、用紙ガイド部材１４ｂ、第２給紙ローラ１５ｂ等によって第２給紙装置が構成されている。装着部１３ｃに装着される第３給紙カセット１２ｃ、用紙ガイド部材１４ｃ、第３給紙ローラ１５ｃ等によって第３給紙装置が構成されている。これらの給紙装置は、用紙搬送路１６を介して、印刷装置３５（図３参照）に印刷用紙１１ａ〜１１ｃを給紙する。
【００３１】
給紙カセット１２ａ〜１２ｃに収容する印刷用紙１１ａ〜１１ｃの用紙サイズは、ユーザにより決定される。本実施形態では、これらの印刷用紙１１ａ〜１１ｃの用紙サイズは、本実施形態の処理に先立って予めユーザにより決定されているものとする。具体的には、第１給紙カセット１２ａにＡ４サイズの印刷用紙１１ａが収容されるように決定され、第２給紙カセット１２ｂにＢ４サイズの印刷用紙１１ｂが収容されるように決定されている。そして、第３給紙カセット１２ｃに、Ａ４サイズの印刷用紙１１ｃが収容されるように決定されている。本実施形態では、第３給紙カセット１２ｃに収容される印刷用紙１１ｃは、省資源用の印刷用紙としての片面印刷済の印刷用紙である。一方、第１給紙カセット１２ａ及び第２給紙カセット１２ｂに収容する印刷用紙１１ａ，１１ｂは、通常印刷用の印刷用紙としての新品の印刷用紙である。
【００３２】
プリンタ１０の前面上部には液晶表示パネル１７及び操作スイッチ１８が設けられている。また、プリンタ１０の上面には、排紙トレイ１９が設けられ、印刷用紙１１ａ〜１１ｃが排紙されるようになっている。
【００３３】
次に、上記プリンタ１０を制御する制御機構について説明する。
図３において、プリンタ１０は、ＣＰＵ３１、ＲＯＭ３２、ＲＡＭ３３、本体メモリ３４、印刷装置３５、入出力インターフェース３６、表示装置３７及び入力装置３８を備えている。さらに、プリンタ１０は、第１給紙駆動モータ４１、第２給紙駆動モータ４２及び第３給紙駆動モータ４３を備えている。そして、これらは、バス４５を介して接続されている。
【００３４】
ＣＰＵ３１は入出力インターフェース３６を介して入力したレッド、グリーン、ブルーのＲＧＢデータをイエロー、マゼンダ、シアン、ブラックのＹＭＣＫデータに変換する。そして、ＣＰＵ３１は、ＲＯＭ３２に記憶された制御プログラム及び各種アプリケーションプログラムに従って印刷のための各種の演算処理動作を実行する。
【００３５】
ＲＡＭ３３はプリンタ１０に関する各種情報を一時的に記憶する。ＲＯＭ３２はプリンタ１０を制御するための各種プログラムを記憶する。本体メモリ３４は、トナー色、トナー残量等の各種識別情報を格納する。
【００３６】
印刷装置３５は、ＹＭＣＫデータに変換された印刷データに基づいて印刷用紙１１ａ〜１１ｃに画像を印刷する。詳述すると、印刷装置３５は、感光体、帯電ローラ、露光装置、四つの現像器、中間転写ベルトを含む印刷機構や、紙送り機構を備えている。四つの現像器は、四色のカラートナー（イエロー（Ｙ）、シアン（Ｃ）、マゼンタ（Ｍ）、ブラック（Ｋ））をそれぞれ供給できるようになっている。そして、印刷装置３５は、印刷データに基づいて印刷用紙１１ａ〜１１ｃに画像を印刷する。
【００３７】
入出力インターフェース３６は、印刷装置制御手段としてのパーソナルコンピュータ（以下、パソコンという）５０とネットワークを介して接続されている。この入出力インターフェース３６は、パソコン５０からのデータをＣＰＵ３１に出力したり、ＣＰＵ３１からのデータをパソコン５０に出力するようになっている。
【００３８】
表示装置３７は、液晶表示パネル１７を備えており、ＣＰＵ３１からの表示制御信号に基づいて種々の画面を表示する。入力装置３８は、プリンタ１０の操作スイッチ１８や、液晶表示パネル１７に表示されたＧＵＩ等から構成されている。そして、これら操作スイッチ１８及びＧＵＩの選択操作に基づいてＣＰＵ３１に対して各種の動作を指示するようになっている。
【００３９】
また、ＣＰＵ３１は、第１給紙駆動モータ４１、第２給紙駆動モータ４２及び第３給紙駆動モータ４３に接続され、これらに対して駆動制御のための駆動制御信号を出力する。第１給紙駆動モータ４１は、第１給紙カセット１２ａから印刷用紙１１ａを繰り出し、用紙搬送路１６を介して印刷装置３５にその印刷用紙１１ａを供給する第１給紙ローラ１５ａを駆動する。第２給紙駆動モータ４２は、第２給紙カセット１２ｂから印刷用紙１１ｂを繰り出し、用紙搬送路１６を介して印刷装置３５にその印刷用紙１１ｂを供給する第２給紙ローラ１５ｂを駆動する。第３給紙駆動モータ４３は、第３給紙カセット１２ｃから印刷用紙１１ｃを繰り出し、用紙搬送路１６を介して印刷装置３５にその印刷用紙１１ｃを供給する第３給紙ローラ１５ｃを駆動する。ＣＰＵ３１は、入力された印刷データのヘッダが有する給紙カセット１２ａ〜１２ｃの指定に基づいて、給紙駆動モータ４１〜４３のいずれか１つに対して、駆動を指示する駆動制御信号を出力する。
【００４０】
パソコン５０は、プリンタドライバ５１を備えている。プリンタドライバ５１は、画像データを画像変換処理して印刷データに変換する機能と、その印刷データをプリンタ１０に送信する際にその印刷データに給紙カセット１２ａ〜１２ｃの指定等を付加する機能とを有する。そして、パソコン５０は、プリンタドライバ５１に従って、画像データを画像変換処理して印刷データに変換し、プリンタ１０に出力する。また、パソコン５０は、プリンタドライバ５１に従って、省資源モード又は通常モードの指定等の入力を受け入れ、それに基づいて、給紙カセット１２ａ〜１２ｃの指定等を印刷データのヘッダに付加する。従って、パソコン５０は、プリンタドライバ５１に従って、モード選択手段、通常用紙選択手段、省資源印刷用紙選択手段、拡大縮小手段、警告出力手段、モード変更手段、両面片面選択手段、両面選択手段等として機能する。
【００４１】
次に、省資源モード又は通常モードをそれぞれ設定した場合における、印刷用紙１１ａ〜１１ｃを給紙する給紙カセット１２ａ〜１２ｃの選択について、図４を用いて説明する。
【００４２】
このプリンタドライバ５１は、ユーザにより、省資源モード又は通常モードのいずれかを選択できるようになっている。また、通常モードの場合、給紙装置について、ユーザにより、第１給紙カセット１２ａ及び第２給紙カセット１２ｂのいずれかを指定できるようになっている。一方、省資源モードが選択されている場合、第３給紙カセット１２ｃから印刷用紙１１ｃが給紙される。
【００４３】
省資源モードか通常モードかについては、プリンタドライバ５１による表示画面において設定できるようになっている。また、通常モードを設定している場合に給紙カセット１２ａ，１２ｂのいずれを使用するかについても、プリンタドライバ５１による表示画面において設定できるようになっている。さらに、両面印刷か片面印刷かについても、プリンタドライバ５１による表示画面において設定できるようになっている。これらの設定は、パソコン５０の記憶手段に保存される。つまり、これらの設定の変更を行わずに、印刷要求を行う場合には、保存された設定の条件で印刷が行われる。
【００４４】
ユーザは、予め、プリンタドライバ５１による表示画面において、通常モードの場合に第１給紙カセット１２ａ又は第２給紙カセット１２ｂのいずれを使用するか、その場合、両面印刷か片面印刷かについて設定しておく。さらに、ユーザは、予め、プリンタドライバ５１による表示画面において、省資源モード又は通常モードのいずれかのモードを設定する。なお、ユーザが設定を行わない場合、初期設定として、第１給紙カセット１２ａ使用、片面印刷及び通常モードが設定されている。ここでは、ユーザは、第１給紙カセット１２ａ、片面印刷及び省資源モードを設定する。なお、これらの設定は、印刷要求を行う際、その都度、変更することが可能である。
【００４５】
これらの設定の変更を行わずに印刷を行う場合、ユーザは、パソコン５０のモニタに表示されている印刷ボタンをクリックすることにより、印刷要求を行う。印刷要求が入力されると、パソコン５０は、プリンタドライバ５１に従って以下の処理を行う。
【００４６】
図４に示すように、印刷要求が入力されると、パソコン５０は、その印刷要求の入力を受け入れる（ステップＳ１）。ここでは、予め設定された条件で印刷要求が入力されるため、省資源モードの指定と、第１給紙カセット１２ａ及び片面印刷の指定が入力される。入力された印刷要求における両面印刷か片面印刷かについての指定が、両面印刷でないため（ステップＳ２でＮＯであるため）、パソコン５０は、ステップＳ３に移る。そして、省資源モードが選択されているため（ステップＳ３でＹＥＳであるため）、パソコン５０は、省資源モードである旨の警告を出力する（ステップＳ４）。具体的には、パソコン５０のモニタに「省資源モードです。このまま印刷しますか」というメッセージと「ＹＥＳ」又は「ＮＯ」を選択する２つの選択ボタンとが表示される。ここで、「ＹＥＳ」の選択ボタンがクリックされると、省資源モードで印刷する旨が入力される。一方、「ＮＯ」の選択ボタンがクリックされると、省資源モードでは印刷しない旨が入力される。パソコン５０は、この省資源モードで印刷するか否かの入力を受け入れる（ステップＳ５）。
【００４７】
「ＹＥＳ」の選択ボタンがクリックされた場合、つまり、省資源モードで印刷する旨が承認された場合（ステップＳ６でＹＥＳの場合）、パソコン５０は、第３給紙カセット１２ｃの指定を設定する（ステップＳ７）。そして、パソコン５０は、第３給紙カセット１２ｃに収容されたＡ４サイズの印刷用紙１１ｃのサイズに合わせて、画像の拡大又は縮小を行う（ステップＳ８）。例えば、Ｂ４サイズの印刷用紙１１ｂに印刷するように設定された画像については、Ａ４サイズの印刷用紙１１ｃのサイズに合わせて、８１パーセントに縮小する。ここでは、印刷対象の画像は、Ａ４サイズの印刷用紙１１ａに対応するサイズであるものとする。この場合、画像の拡大又は縮小を行わず、もとのままのサイズで印刷を行うこととなる。そして、パソコン５０は、画像データを画像変換処理してＲＧＢデータからなる印刷データを生成する。パソコン５０は、その印刷データのヘッダに第３給紙カセット１２ｃの指定及び片面印刷の指定を付加して、その印刷データをプリンタ１０に送信し（ステップＳ９）、処理を終了する。
【００４８】
一方、ステップＳ６において「ＮＯ」の選択ボタンがクリックされた場合、つまり、省資源モードで印刷する旨が承認されなかった場合（ステップＳ６でＮＯの場合）、パソコン５０は、ステップＳ９に移る。この場合、パソコン５０は、画像データを画像変換処理して印刷データを生成し、予め設定された第１給紙カセット１２ａ及び片面印刷の指定を印刷データのヘッダに付加してプリンタ１０に送信し（ステップＳ９）、処理を終了する。
【００４９】
なお、ステップＳ２において、入力された印刷要求における両面印刷か片面印刷かについての指定が両面印刷の場合（ステップＳ２においてＹＥＳの場合）、パソコン５０は、ステップＳ９に移る。そして、ステップＳ９において、パソコン５０は、予め設定された給紙カセット１２ａ，１２ｂの指定と両面印刷の指定とを印刷データのヘッダに付加する。
【００５０】
また、ステップＳ３において、入力された印刷要求における省資源モードか通常モードかについての指定が省資源モードでない場合（ステップＳ３でＮＯの場合）、パソコン５０は、ステップＳ９に移る。そして、ステップＳ９において、パソコン５０は、予め設定された給紙カセット１２ａ，１２ｂの指定と片面印刷の指定とを印刷データのヘッダに付加する。
【００５１】
プリンタ１０は、入出力インターフェース３６を介して印刷データをＣＰＵ３１に入力する。そして、ＣＰＵ３１は、入力されたＲＧＢデータからなる印刷データをＹＭＣＫデータに変換する。さらに、ＣＰＵ３１は、入力された印刷データのヘッダに設定された給紙カセット１２ａ〜１２ｃの指定に基づいて、対応する給紙駆動モータ４１〜４３に対して、駆動制御信号を出力する。つまり、印刷データのヘッダに第３給紙カセット１２ｃの指定が設定されている場合、ＣＰＵ３１は、第３給紙駆動モータ４３に駆動制御信号を出力する。第３給紙駆動モータ４３は、その駆動制御信号を入力すると、第３給紙ローラ１５ｃを駆動し、第３給紙カセット１２ｃから片面印刷済の印刷用紙１１ｃを印刷装置３５に給紙する。
【００５２】
なお、印刷データのヘッダに第１給紙カセット１２ａの指定が設定されている場合、ＣＰＵ３１は、第１給紙駆動モータ４１に駆動制御信号を出力する。第１給紙駆動モータ４１は、その駆動制御信号を入力すると、第１給紙ローラ１５ａを駆動し、第１給紙カセット１２ａからＡ４サイズの新品の印刷用紙１１ａを印刷装置３５に給紙する。また、印刷データのヘッダに第２給紙カセット１２ｂの指定が設定されている場合、ＣＰＵ３１は、第２給紙駆動モータ４２に駆動制御信号を出力する。第２給紙駆動モータ４２は、その駆動制御信号を入力すると、第２給紙ローラ１５ｂを駆動し、第２給紙カセット１２ｂからＢ４サイズの新品の印刷用紙１１ｂを印刷装置３５に給紙する。
【００５３】
以上、本実施形態によれば、以下に示す効果を得ることができる。
・　上記実施形態では、プリンタ１０は、新品の印刷用紙１１ａ，１１ｂを収容する給紙カセット１２ａ，１２ｂと、片面印刷済の印刷用紙１１ｃを収容する第３給紙カセット１２ｃとを備えている。一方、パソコン５０は、プリンタドライバ５１に従って、省資源モードである場合、給紙カセット１２ａ，１２ｂの指定に関わらず、第３給紙カセット１２ｃの指定を印刷データのヘッダに設定する。そして、プリンタ１０は、入力された印刷データのヘッダに、第３給紙カセット１２ｃの指定が設定されている場合、第３給紙カセット１２ｃから片面印刷済の印刷用紙１１ｃを給紙する。このため、省資源モードを指定することにより、プリンタ１０は、給紙カセット１２ａ，１２ｂの指定に関わらず、片面印刷済の印刷用紙１１ｃに印刷を行うことができる。従って、紙資源の有効活用に資することができる。
【００５４】
・　上記実施形態では、省資源モードで印刷する場合、パソコン５０は、プリンタドライバ５１に従って、第３給紙カセット１２ｃに収容された片面印刷済の印刷用紙１１ｃのサイズに合わせて、印刷する画像を拡大又は縮小する。このため、もともとの画像のサイズが片面印刷済の印刷用紙１１ｃの用紙サイズに適さない場合であっても、その画像を拡大又は縮小することにより、片面印刷済の印刷用紙１１ｃに適したサイズにして印刷することができる。
【００５５】
・　上記実施形態では、省資源モードが設定されている場合、印刷要求が入力された場合に、パソコン５０は、プリンタドライバ５１に従って、その旨の警告を出力する。このため、省資源モードが設定されている場合、印刷要求が入力された場合に、その都度、省資源モードで印刷してよいかどうかをユーザに問い合わせることができ、ユーザが新品の印刷用紙１１ａ，１１ｂへの印刷を希望する場合に、片面印刷済の印刷用紙１１ｃに印刷されるのを防ぐことができる。
【００５６】
・　上記実施形態では、省資源モードが設定されている場合、省資源モードで印刷する旨がユーザにより承認されない場合を除いて、片面印刷済の印刷用紙１１ｃに印刷を行う。このため、予め省資源モードを設定しておけば、ユーザが誤って、片面印刷済の印刷用紙１１ｃに印刷すべきものを新品の印刷用紙１１ａ，１１ｃに印刷することがなくなる。
【００５７】
なお、上記実施形態は、以下の態様に変更してもよい。
・　上記実施形態では、プリンタドライバ５１にて、予め省資源モードの指定をユーザの選択により行い、省資源モードが指定されている場合、全てのファイルについて省資源モードとしてユーザの承認を受け付けた。これに代えて、省資源モードの指定は、印刷対象のファイル毎に行ってもよい。例えば、ファイルに省資源モードか否かの情報を付加してもよい。このファイル毎の省資源モードか否かの指定は、そのファイルを生成する際に設定するようにしてもよい。このようにすることで、省資源モードで印刷することが希望されるファイルについては、その都度ユーザが省資源モードでの印刷を指定しなくても省資源モードで印刷できる。一方、それ以外のファイルについては、省資源モードで印刷するかどうかの問い合わせを行うことなく新品の印刷用紙１１ａ，１１ｂに印刷を行うことができ、ユーザを煩わせることがなくなる。
【００５８】
・　上記実施形態では、パソコン５０がプリンタドライバ５１を備えた。そして、そのプリンタドライバ５１が省資源モードを設定し、省資源モードが設定された場合に、第３給紙カセット１２ｃ第３給紙カセット１２ｃから印刷用紙１１ｃを給紙するように設定する機能を備えた。これに代えて、このような機能を有するプリンタドライバ５１をプリンタ１０に備えてもよい。
【００５９】
・　上記実施形態では、プリンタドライバ５１に、省資源モードを設定する機能を設けた。そして、そのプリンタドライバ５１に、省資源モードが設定されている場合に、第３給紙カセット１２ｃから印刷用紙１１ｃを給紙するように設定する機能を設けた。
【００６０】
これに代えて、画像変換処理機能を有するプリンタドライバ５１とは別に、そのプリンタドライバ５１により生成された印刷データを入力して、省資源モードを設定する機能を有する省資源モード設定プログラムを備えてもよい。そして、この省資源モード設定プログラムが、プリンタドライバ５１による給紙カセット１２ａ，１２ｂの指定に関わらず、第３給紙カセット１２ｃの指定を印刷データに設定する機能を有していてもよい。この場合、プリンタドライバ５１により生成した印刷データをプリンタ１０に送信する際、この省資源モード設定プログラムを介して、第３給紙カセット１２ｃの指定を設定した印刷データをプリンタ１０に送信するようにしてもよい。
【００６１】
また、プリンタ１０側に、省資源モードを設定する機能を設けてもよい。そして、省資源モードが設定されている場合、プリンタ１０に入力された給紙カセット１２ａ，１２ｂの指定に関わらず、第３給紙カセット１２ｃから印刷用紙１１ｃを給紙するようにしてもよい。この場合、プリンタ１０からパソコン５０に、省資源モードで印刷してよいかどうかの問い合わせを送信し、ユーザが承認した旨を入力した場合に限り、省資源モードで印刷するようにしてもよい。
【００６２】
・　上記実施形態では、プリンタ１０が有する省資源印刷用の給紙カセットは１つのみとした。これに代えて、省資源印刷用の給紙カセットを２つ以上有してもよい。
【００６３】
・　上記実施形態では、本発明をカラーレーザープリンタ１０に具体化したが、モノクロレーザープリンタ、インクジェットプリンタや、ファクシミリ、コピー機能等を備えた複合機であってもよい。
【００６４】
・　上記実施形態では、プリンタ１０は、両面印刷機能を有したが、本発明を具体化するプリンタは、両面印刷機能を有さないプリンタであってもよい。
・　上記実施形態では、省資源モードが選択された場合、用紙サイズが異なる場合は、省資源用の印刷用紙１１ｃのサイズに合わせて印刷対象の画像を拡大又は縮小した。これに代えて、省資源モードが選択された場合、同サイズの印刷用紙についてのみ省資源モードを設定可能としてもよい。この場合、ユーザの指定なく、他の用紙サイズにあわせて画像が拡大又は縮小されることが防止される。
【００６５】
・　上記実施形態では、警告はパソコン５０の表示画面にメッセージとして出力されたが、液晶表示パネル１７に出力されてもよい。また、警告は、音でもよく、パソコン５０又はプリンタ１０のいずれから出力されてもよい。
【００６６】
次に、上記実施形態及び別例から把握できる請求項に記載した発明以外の技術的思想について、それらの効果とともに以下に記載する。
（１）　省資源印刷用の印刷用紙を収容する省資源印刷用紙収容手段と、通常印刷用の印刷用紙を収容する複数の通常用紙収容手段とを備えた印刷装置の制御方法であって、
前記印刷装置が省資源印刷用紙収容手段に収容された印刷用紙に印刷する省資源モード及び通常印刷用紙収容手段に収容された通常印刷用紙に印刷する通常モードを有し、
前記印刷装置を制御する印刷装置制御手段が、
該両モードのいずれかを選択する情報を受信して記憶する段階と、
前記通常モードが選択されている場合に、前記複数の通常用紙収容手段のいずれかを選択する情報を受信して記憶する段階と、
前記省資源モードが選択された場合は、前記通常用紙収容手段が選択されているか否かに関わらず、前記省資源印刷用紙収容手段を選択する段階と
を備えたことを特徴とする印刷装置の制御方法。
【００６７】
このようにすることで、省資源モードが指定された場合には、複数の通常用紙収容手段のうち、いずれが選択されたかにかかわらず、省資源印刷用の印刷用紙に印刷を行うことができる。
【００６８】
（２）　省資源印刷用の印刷用紙を収容する省資源印刷用紙収容手段と、通常印刷用の印刷用紙を収容する複数の通常用紙収容手段とを備え、前記省資源印刷用紙収容手段に収容された印刷用紙に印刷する省資源モード及び通常印刷用紙収容手段に収容された通常印刷用紙に印刷する通常モードを有する印刷装置を制御するためのプログラムであって、
前記印刷装置を制御する印刷装置制御手段を、
該両モードのいずれかを選択する情報を受信して記憶するモード選択手段、
前記通常モードが選択されている場合に、前記複数の通常用紙収容手段のいずれかを選択する情報を受信して記憶する通常用紙選択手段、及び、
前記省資源モードが選択された場合に前記通常用紙収容手段が選択されているか否かに関わらず、前記省資源印刷用紙収容手段を選択する省資源印刷用紙選択手段
として機能させるためのプログラム。
【００６９】
このようにすることで、省資源モードが指定された場合には、複数の通常用紙収容手段のうち、いずれが選択されたかにかかわらず、省資源印刷用の印刷用紙に印刷を行うことができる。
【００７０】
【発明の効果】
以上詳述したように、本発明によれば、紙資源を有効に利用するための印刷用紙の選択を容易に行うことができる印刷装置の制御方法、プログラム及び記録媒体を提供できる。
【図面の簡単な説明】
【図１】本発明の一実施形態のカラーレーザープリンタを示す斜視図。
【図２】同カラーレーザープリンタの給紙装置の説明図。
【図３】同カラーレーザープリンタにおける電気的構成を示すブロック回路図。
【図４】同実施形態の処理手順を示すフローチャート図。
【符号の説明】
１０　印刷装置としてのカラーレーザープリンタ
１１ａ，１１ｂ　通常印刷用の印刷用紙としての新品の印刷用紙
１１ｃ　省資源用の印刷用紙としての片面印刷済の印刷用紙
１２ａ　通常用紙収容手段としての第１カセット
１２ｂ　通常用紙収容手段としての第２カセット
１２ｃ　省資源用紙収容手段としての第３カセット
５０　印刷装置制御手段としてのパーソナルコンピュータ
【図１】
2004050677.tif 000003
【図２】
2004050677.tif 000004
【図３】
2004050677.tif 000005
【図４】
2004050677.tif 000006